(57)【要約】【課題】   ツイナックスケーブル１によって高周波帯域の信号を伝送する場合にあっても、ツイナックスケーブル１の伝送損失を小さくして、ツイナックスケーブル１内における信号の減衰量を小さくする。【解決手段】  導体３と；  導体３の外周面に押出成形によって設けられかつ丸パイプ状の被覆層本体７と螺旋状のヒダ９とを備えた被覆層５と；  前記被覆層の回りを覆うように設けられた丸パイプ状のコア外層１１と；を具備したこと。【選択図】    図１
2005259660.tif 000002
【特許請求の範囲】
【請求項１】
伝送ケーブルに用いられるケーブルコアにおいて、
導体と；
前記導体の外周面に押出成形によって設けられ、絶縁樹脂により構成され、前記導体の回りを覆う丸パイプ状の被覆層本体と、この被覆層本体の外周面に一体に成形された螺旋状のヒダとを備えた被覆層と；
前記被覆層の回りを覆うように設けられ、絶縁材料により構成された丸パイプ状のコア外層と；
を具備してなることを特徴とするケーブルコア。
【請求項２】
前記被覆層本体の外周面に３つ以上の前記ヒダが等間隔に成形されていることを特徴とする請求項１に記載のケーブルコア。
【請求項３】
前記絶縁樹脂は、絶縁発泡樹脂であることを特徴とする請求項１又は請求項２に記載のケーブルコア。
【請求項４】
平行に並んだ一対の導体と；
一対の前記導体の外周面に押出成形によってそれぞれ設けられ、絶縁樹脂によりそれぞれ構成され、前記導体の回りを覆う丸パイプ状の被覆層本体と、この被覆層本体の外周面に一体に成形された螺旋状のヒダとをそれぞれ備えた一対の被覆層と；
一対の前記被覆層の回りを覆うようにそれぞれ設けられ、絶縁材料によりそれぞれ構成された一対の丸パイプ状のコア外層と；
一対の前記コア外層の間に設けられたドレン線と；
一対の前記コア外層及び前記ドレン線をシールドするシールド部材と；
を具備してなることを特徴とするツイナックスケーブル。
【請求項５】
一対の前記被覆層本体の外周面に３つ以上の前記ヒダがそれぞれ等間隔に成形されていることを特徴とする請求項４に記載のツイナックスケーブル。
【請求項６】
平行に並んだ一対の導体と；
一対の前記導体の外周面に押出成形によってそれぞれ設けられ、絶縁樹脂によりそれぞれ構成され、外周面に等間隔に螺旋状の複数の溝がそれぞれ成形された一対の被覆層と；
一対の前記被覆層の間に設けられたドレン線と；
一対の前記被覆層及び前記ドレン線をシールドするシールド部材と；
を具備してなることを特徴とするツイナックスケーブル。
【請求項７】
前記絶縁樹脂は、絶縁発泡樹脂であることを特徴とする請求項４から請求項６のうちのいずれかの請求項に記載のツイナックスケーブル。
【発明の詳細な説明】
【技術分野】
【０００１】
本発明は、信号を伝送するツイナックスケーブル，同軸ケーブル等の伝送ケーブルに用いられるケーブルコア、及びツイナックスケーブルに関する。
【背景技術】
【０００２】
従来の技術について図５について参照して説明する。
【０００３】
ここで、図５は、一般的なツイナックスケーブルの断面図である。
【０００４】
図５に示すように、一般的なツイナックスケーブル１０１は、通信分野に広く用いられかつ信号を伝送する伝送ケーブルの一つであって、平行に並んだ一対の導体１０３を備えている。また、一対の導体１０３の外周面には、押出成形によって被覆層１０５がそれぞれ設けられており、一対の被覆層１０５は、絶縁樹脂によりそれぞれ構成されている。なお、被覆層１０５の誘電率を下げて、ツイナックスの伝送損失を抑えるために、被覆層１０５の絶縁材料に関しては種々の改良がなされれている。
【０００５】
ここで、被覆関係にある導体１０３と被覆層１０５とによって、ケーブルコア１０７がそれぞれ形成され、換言すれば、ツイナックスケーブル１０１は、一対のケーブルコア１０７を有することになる。
【０００６】
更に、ツイナックスケーブル１０１は、一対のケーブルコア１０７の他に、一対の被覆層１０５の間に設けられたドレン線１０９と、一対の被覆層１０５及びドレン線１０９をシールドする金属テープ（シールド部材）１１１とを備えている。
【０００７】
なお、本発明に関連する先行技術として特許文献１に示すものがある。
【特許文献１】特開２００３−２１７３６３号公報
【発明の開示】
【発明が解決しようとする課題】
【０００８】
ところで、前述のように、ツイナックスケーブル１０１の伝送損失を抑えるために被覆層１０５の絶縁材料に関しては種々の改良がなされているが、ツイナックスケーブル１０１によって高周波帯域（１〜２ＧＨｚ）の信号を伝送する場合には、ツイナックスケーブル１０１の伝送損失が大きくなって、ツイナックスケーブル１０１内における信号の減衰量が大きくなる。そのため、上述のような場合には、ツイナックスケーブル１０１の細線化を図りつつ、ツイナックスケーブル１０１のケーブル長を長くすることができず、ツイナックスケーブル１０１の利用範囲が狭くなるという問題がある。
【課題を解決するための手段】
【０００９】
請求項１に記載の発明にあっては、伝送ケーブルに用いられるケーブルコアにおいて、
導体と；
前記導体の外周面に押出成形によって設けられ、絶縁樹脂により構成され、前記導体の回りを覆う丸パイプ状の被覆層本体と、この被覆層本体の外周面に一体に成形された螺旋状のヒダとを備えた被覆層と；
前記被覆層の回りを覆うように設けられ、絶縁材料により構成された丸パイプ状のコア外層と；
を具備してなることを特徴とする。
【００１０】
ここで、前記伝送ケーブルには、ツイナックスケーブル、同軸ケーブル、ツイストペアケーブル、ペアケーブル、シールドツイストペアケーブル、及びシールドペアケーブル等が含まれる。
【００１１】
請求項１に記載の発明特定事項によると、前記被覆層はパイプ状の前記被覆層本体と螺旋状の前記ヒダを備えているため、前記被覆層本体の外周面と丸パイプ状の前記コア外層の内周面との間に十分な空間を区画形成することができる。これにより、前記被覆層と前記空間からなる導体周辺部の誘電率を非常に低くすることができ、前記導体内に安定した信号路を形成することができる。
【００１２】
請求項２に記載の発明にあっては、請求項１に記載の発明特定事項の他に、前記被覆層本体の外周面に３つ以上の前記ヒダが等間隔に成形されていることを特徴とする。
【００１３】
請求項２に記載の発明特定事項によると、請求項１に記載の発明特定事項による作用の他に、前記被覆層本体の外周面に３つ以上の前記ヒダが等間隔に成形されているため、前記コア外層の形状を安定させることができ、前記伝送ケーブルの軸方向に亘って前記導体周縁部の誘電率を略均一に保つことができる。
【００１４】
請求項３に記載の発明にあっては、請求項１又は請求項２に記載の発明特定事項の他に、前記絶縁樹脂は、絶縁発泡樹脂であることを特徴とする。
【００１５】
請求項３に記載の発明特定事項によると、請求項１又は請求項２に記載の発明特定事項に発明特定事項による作用の他に、前記絶縁樹脂は絶縁発泡樹脂であるため、前記被覆層の誘電率が更に低くなって、前記導体内により安定度の高い信号路を形成することができる。
【００１６】
請求項４に記載の発明にあっては、平行に並んだ一対の導体と；
一対の前記導体の外周面に押出成形によってそれぞれ設けられ、絶縁樹脂によりそれぞれ構成され、前記導体の回りを覆う丸パイプ状の被覆層本体と、この被覆層本体の外周面に一体に成形された螺旋状のヒダとをそれぞれ備えた一対の被覆層と；
一対の前記被覆層の回りを覆うようにそれぞれ設けられ、絶縁材料によりそれぞれ構成された一対の丸パイプ状のコア外層と；
一対の前記コア外層の間に設けられたドレン線と；
一対の前記コア外層及び前記ドレン線をシールドするシールド部材と；
を具備してなることを特徴とする。
【００１７】
ここで、前記伝送ケーブルには、ツイナックスケーブル、同軸ケーブル、ツイストペアケーブル、ペアケーブル、シールドツイストペアケーブル、及びシールドペアケーブル等が含まれる。
【００１８】
請求項４に記載の発明特定事項によると、前記被覆層はパイプ状の前記被覆層本体と螺旋状の前記ヒダを備えているため、前記被覆層本体の外周面と丸パイプ状の前記コア外層の内周面との間に十分な空間を区画形成することができる。これにより、前記被覆層と前記空間からなる導体周辺部の誘電率を非常に低くすることができ、前記導体内に安定した信号路を形成することができる。
【００１９】
請求項５に記載の発明にあっては、請求項４に記載の発明特定事項の他に、一対の前記被覆層本体の外周面に３つ以上の前記ヒダが等間隔に成形されていることを特徴とする。
【００２０】
請求項５に記載の発明特定事項によると、請求項４に記載の発明特定事項による作用の他に、一対の前記被覆層本体の外周面に３つ以上の前記ヒダが等間隔に成形されているため、前記コア外層の形状を安定させることができ、前記ツイナックスケーブルの軸方向に亘って前記導体周縁部の誘電率を略均一に保つことができる。
【００２１】
請求項６に記載の発明にあっては、平行に並んだ一対の導体と；
一対の前記導体の外周面に押出成形によってそれぞれ設けられ、絶縁樹脂によりそれぞれ構成され、外周面に等間隔に螺旋状の複数の溝がそれぞれ成形された一対の被覆層と；
一対の前記被覆層の間に設けられたドレン線と；
一対の前記被覆層及び前記ドレン線をシールドするシールド部材と；
を具備してなることを特徴とする。
【００２２】
ここで、前記伝送ケーブルには、ツイナックスケーブル、同軸ケーブル、ツイストペアケーブル、ペアケーブル、シールドツイストペアケーブル、及びシールドペアケーブル等が含まれる。
【００２３】
請求項６に記載の発明特定事項によると、前記被覆層の外周面に螺旋状の前記溝が等間隔に成形されているため、前記被覆層の外周面と前記シールド部材の内周面との間に十分な空間を区画形成することができる。これにより、前記被覆層と前記空間からなる導体周辺部の誘電率を非常に低くすることができ、前記導体内に安定した信号路を形成することができる。
【００２４】
請求項７に記載の発明にあっては、請求項４から請求項６のうちのいずれかの請求項に記載の発明特定事項の他に、前記絶縁樹脂は、絶縁発泡樹脂であることを特徴とする。
【００２５】
請求項７に記載の発明にあっては、請求項４から請求項６のうちのいずれかの請求項に記載の発明特定事項による作用の他に、前記絶縁樹脂は絶縁発泡樹脂であるため、前記被覆層の誘電率が更に低くなって、前記導体内により安定度の高い信号路を形成することができる。
【発明の効果】
【００２６】
請求項１から請求項３のうちのいずれかの請求項に記載の発明によれば、前記被覆層と前記空間からなる前記導体周辺部の誘電率を非常に低くすることができ、前記導体内に安定した信号路を形成できるため、前記伝送ケーブルによって高周波帯域の信号を伝送する場合にあっても、前記伝送ケーブルの伝送損失を小さくして、前記伝送ケーブル内における信号の減衰量を小さくすることができる。そのため、上述のような場合でも、前記伝送ケーブルの細線化を図りつつ、前記伝送ケーブルのケーブル長を十分に長くすることができ、前記伝送ケーブルの利用範囲を拡大することができる。
【００２７】
特に、請求項２又は請求項３に記載の発明によれば、前記コア外層の形状を安定させることができ、前記伝送ケーブルの軸方向に亘って前記導体周縁部の誘電率を略均一に保つことができるため、前記伝送ケーブルの伝送損失を更に小さくして、前述の効果を高めることができる。また、請求項３に記載の発明によれば、前記被覆層の誘電率が更に低くなって、前記導体内により安定度の高い信号路を形成できるため、前述の効果を高めることができる。
【００２８】
請求項４から請求項７のうちのいずれかの請求項に記載の発明によれば、前記被覆層と前記空間からなる前記導体周辺部の誘電率を非常に低くすることができ、一対の前記導体内に安定した信号路を形成できるため、前記ツイナックスケーブルによって高周波帯域の信号を伝送する場合にあっても、前記ツイナックスケーブル内における信号の減衰量を小さくすることができる。そのため、上述のような場合でも、前記ツイナックスケーブルの細線化を図りつつ、前記ツイナックスケーブルのケーブル長を十分に長くすることができ、前記ツイナックスケーブルの利用範囲を拡大することができる。
【００２９】
特に、請求項７に記載の発明によれば、前記被覆層の誘電率が更に低くなって、一対の前記導体内により安定度の高い信号路を形成できるため、前述の効果を高めることができる。
【発明を実施するための最良の形態】
【００３０】
まず、第１の最良の形態について図１及び図２を参照して説明する。
【００３１】
ここで、図１は、第１の最良の形態に係わるツイナックスケーブルの断面図であって、図２は、第１の最良の形態に係わるツイナックスケーブルにおける一対のケーブルコアの斜視図であって、図３は、第１の最良の形態に係わる別態様のツイナックスケーブルの断面図である。
【００３２】
図１及び図２に示すように、第１の発明の最良の形態に係わるツイナックスケーブル１は、通信分野に広く用いられかつ信号を伝送する伝送ケーブルの一つであって、平行に並んだ一対の導体３を備えている。
【００３３】
一対の導体３の外周面には、押出成形によって被覆層５がそれぞれ設けられており、一対の被覆層５は、発泡絶縁樹脂によりそれぞれ構成されている。そして一対の被覆層５は、導体３の回りを覆う丸パイプ状の被覆層本体７と、この被覆層本体７の外周面に一体に成形された螺旋状のヒダ９とをそれぞれ備えている。更に、図３に示すように、一対の被覆層本体７の外周面に４つ（少なくとも３つ以上）のヒダ９がそれぞれ等間隔に成形されることが望ましい。また、螺旋状のヒダ９が一周するピッチは、ケーブルコア１３の外径の２０倍以下が好ましい。
【００３４】
一対の被覆層５には、丸パイプ状のコア外層１１が被覆層５の回りを覆うようそれぞれに設けられており、一対のコア外層１１は、絶縁材料によりそれぞれ構成されている。なお、コア外層１１は、絶縁テープからなるものであっても差し支えない。
【００３５】
ここで、導体３と被覆層５とコア外層１１によって、ケーブルコア１３がそれぞれ形成され、換言すれば、ツイナックスケーブル１は、一対のケーブルコア１３を有することになる。
【００３６】
また、ツイナックスケーブル１は、一対のケーブルコア１３の他に、一対の被覆層５の間に設けられたドレン線１５と、一対の被覆層５及びドレン線１５をシールドする金属テープ（シールド部材）１７とを備えている。なお、金属テープ１７の代わりに、シールド部材として中空状の撚り線を用いてもよい。
【００３７】
次に、第１の最良の形態の作用について説明する。
【００３８】
被覆層５はパイプ状の被覆層本体７と螺旋状のヒダ９を備えているため、被覆層本体７の外周面と丸パイプ状のコア外層１１の内周面との間に十分な空間Ｓを区画形成することができる。これにより、被覆層５と空間Ｓからなる導体周辺部の誘電率を非常に低くすることができ、一対の導体３内に安定した信号路を形成することができる。
【００３９】
特に、一対の被覆層５は発泡絶縁樹脂によりそれぞれ構成されているため、被覆層５の誘電率が更に低くなって、一対の導体３内により安定度の高い信号路を形成することができる。また、図３に示すような一対の被覆層本体７の外周面に４つのヒダ９がそれぞれ等間隔に成形された場合にあっては、コア外層１１の形状を安定させることができ、ツイナックスケーブル１の軸方向に亘って前記導体周縁部の誘電率を略均一に保つことができる。
【００４０】
以上の如き、第１の最良の形態によれば、被覆層５と空間Ｓからなる前記導体周辺部の誘電率を非常に低くすることができ、一対の導体３内に安定した信号路を形成できるため、ツイナックスケーブル１によって高周波帯域（１〜２ＧＨｚ）の信号を伝送する場合にあっても、ツイナックスケーブル１の伝送損失を小さくして、ツイナックスケーブル１内における信号の減衰量を小さくすることができる。そのため、上述のような場合でも、ツイナックスケーブル１の細線化を図りつつ、ツイナックスケーブル１のケーブル長を十分に長くすることができ、ツイナックスケーブル１の利用範囲を拡大することができる。
【００４１】
まず、第２の最良の形態について図４を参照して説明する。
【００４２】
ここで、図４は、第２の最良の形態に係わるツイナックスケーブルの断面図である。
【００４３】
図４に示すように、第２の発明の最良の形態に係わるツイナックスケーブル１９は、前記伝送ケーブルの一つであって、平行に並んだ一対の導体２１を備えている。
【００４４】
一対の導体２１の外周面には、押出成形によって被覆層２３がそれぞれ設けられており、一対の被覆層２３は、発泡絶縁樹脂によりそれぞれ構成されている。そして、一対の被覆層２３の外周面には、螺旋状の複数の溝２５がそれぞれ等間隔に成形されている。
【００４５】
ここで、被覆関係にある導体２１と被覆層２３とによって、ケーブルコア２７がそれぞれ形成され、換言すれば、ツイナックスケーブル１９は、一対のケーブルコア２７を有することになる。
【００４６】
また、ツイナックスケーブル１９は、一対のケーブルコア２７の他に、一対の被覆層２３の間に設けられたドレン線２９と、一対の被覆層２３及びドレン線２９をシールドする金属テープ（シールド部材）３１とを備えている。なお、金属テープ３１の代わりに、シールド部材として中空状の撚り線を用いてもよい。
【００４７】
第２の最良の形態の作用について説明する。
【００４８】
一対の被覆層２３の外周面に螺旋状の溝２５がそれぞれ等間隔に成形されているため、被覆層２３の外周面と金属テープ３１の内周面との間に十分な空間Ｓを区画形成することができる。これにより、被覆層２３と空間Ｓからなる導体周辺部の誘電率を非常に低くすることができ、一対の導体２１内に安定した信号路を形成することができる。特に、一対の被覆層１９は発泡絶縁樹脂によりそれぞれ構成されているため、被覆層２３の誘電率が更に低くなって、一対の導体２１内により安定度の高い信号路を形成することができる。
【００４９】
以上の如き、第２の最良の形態によれば、被覆層２３と空間Ｓからなる前記導体周辺部の誘電率を非常に低くすることができ、一対の導体２１内に安定した信号路を形成できるため、ツイナックスケーブル１９によって高周波帯域（１〜２ＧＨｚ）の信号を伝送する場合にあっても、ツイナックスケーブル１９の伝送損失を小さくして、ツイナックスケーブル１９内における信号の減衰量を小さくすることができる。そのため、上述のような場合でも、ツイナックスケーブル１９の細線化を図りつつ、ツイナックスケーブル１９のケーブル長を十分に長くすることができ、ツイナックスケーブル１９の利用範囲を拡大することができる。
【００５０】
なお、本発明は、前述の発明の最良の形態に限るものではなく、適宜の変更を行うことにより、その他種々の態様で実施可能である。
【図面の簡単な説明】
【００５１】
【図１】第１の最良の形態に係わるツイナックスケーブルの断面図である。
【図２】第１の最良の形態に係わるツイナックスケーブルにおける一対のケーブルコアの斜視図である。
【図３】第１の最良の形態に係わる別態様のツイナックスケーブルの断面図である。
【図４】第２の最良の形態に係わるツイナックスケーブルの断面図である。
【図５】従来のツイナックスケーブルの断面図である。
【符号の説明】
【００５２】
１      ツイナックスケーブル
３      導体
５      被覆層
７      被覆層本体
９      ヒダ
１１    コア外層
１３    ケーブルコア
１５    ドレン線
１７    金属テープ
１９    ツイナックスケーブル
１９    被覆層
２１    導体
２３    被覆層
２５    溝
２７    ケーブルコア
２９    ドレン線
３１    金属テープ
【図１】
2005259660.tif 000003
【図２】
2005259660.tif 000004
【図３】
2005259660.tif 000005
【図４】
2005259660.tif 000006
【図５】
2005259660.tif 000007